(57)【特許請求の範囲】
【請求項１】
内鍋を有する本体と、前記本体上部を覆う外蓋と、前記外蓋下面に、前記内鍋フランジ部に対向する鍋パッキンを一体化した着脱式加熱板を設置し、前記加熱板を誘導加熱する誘導コイルを前記外蓋内に備え、該着脱式加熱板の動きを抑える加熱板ガタツキ抑制の当接突起を、前記着脱式加熱板と外蓋下面のいずれか一方に有し、前記ガタツキ抑制の突起は前記外蓋と前記着脱式加熱板とに常時当接させた炊飯器。
【発明の詳細な説明】
【０００１】
【発明の属する技術分野】
本発明は、一般家庭、あるいは業務用に使用する炊飯器に関するものである。
【０００２】
【従来の技術】
従来、この種の炊飯器は、例えば、図６に示されるような構成であった。図において、１は上面が開口する円筒上のボディで、このボデイ１内部には、内鍋収納部である保護枠２が配設され、かつこの保護枠２は非金属材料により有底円筒状に成形され、保護枠２の上端部は前記ボデイ１の上端部内周囲に係合されている。
【０００３】
３は上端開口部に外方に突出するフランジ４を形成した内鍋で、この内鍋３はフランジ４を上枠２３の上面に懸架状態に載置することにより、保護枠２内に着脱自在に配設されている。保護枠２の外側には誘導コイル５が配設され、この誘導コイル５は、内鍋３の外周面までの距離が一定となるように、前記保護枠２の外周下部にインサートされている。
【０００４】
７は合成樹脂性の外蓋で、この外蓋７は上枠２３の上部に一体成形されたヒンジ部材８にピン９を介して回動自在に支持されている。１０は内カバーで、この内カバー１０は外蓋７の内面に固着されている。この内カバ−１０には発熱体である着脱式加熱板１１が設置されており、この加熱板１１の上部には誘導コイル１２が位置している。この誘導コイル１２の電磁作用により加熱板１１が発熱するのである。そして、この加熱板１１には加熱板１１の温度検知用のセンサ−１４が加熱板１１に圧接されており、放熱板１１の温度を調節しているのである。
【０００５】
１６はヒンジ部材８と反対側に位置して保護枠２の上端部に一体成形された係合部材で、この係合部材１６と対向するように外蓋７に係合レバ−１７がピン１８を介して回動可能に指示されている。そして、鍋パッキン２０は、前記外蓋を閉じたときに内鍋３のフランジ４に圧接してその内鍋３を密閉するようになっている。
【０００６】
また、２４は蒸気筒であり、おねばが外部に吹きこぼれるのを防止している。２５は、制御基板であり、誘導コイル１２への通電状態や操作表示部２６の信号を入出力制御している。また、２７は冷却ファンであり、制御基板２５や誘導コイル５を冷却している。
【０００７】
【発明が解決しようとする課題】
近年の炊飯器の状況はコンパクトの流れと共に省エネ、省資源化が社会の趨勢になっている。かかる観点から蓋の薄肉化を図るために加熱板と誘導コイルの距離を小さくすれば良いが、その際、外蓋内の加熱板が誘導加熱時に電磁誘導により磁界が発生するため加熱板が振動し、音が発生する問題が出てくる。加えて加熱板を薄くしようとすれば、更に音の発生が増長されるという課題もある。
【０００８】
本発明は、上記課題を解決しながら、加熱板と誘導コイルとの距離を小さくし、コンパクトで省エネ、省資源化を図る炊飯器を可能にするものである。
【０００９】
【課題を解決するための手段】
内鍋を有する本体と、前記本体上部を覆う外蓋と、前記外蓋下面に、前記内鍋フランジ部に対向する鍋パッキンを一体化した着脱式加熱板を設置し、前記加熱板を誘導加熱する誘導コイルを前記外蓋内に備え、該着脱式加熱板の動きを抑える加熱板ガタツキ抑制の当接突起を、前記着脱式加熱板と外蓋下面のいずれか一方に有し、前記ガタツキ抑制の突起は前記外蓋と前記着脱式加熱板とに常に当接したものである。
【００１０】
【発明の実施の形態】
請求項１記載の発明は、内鍋を有する本体と、前記本体上部を覆う外蓋と、前記外蓋下面に、前記内鍋フランジ部に対向する鍋パッキンを一体化した着脱式加熱板を設置し、前記加熱板を誘導加熱する誘導コイルを前記外蓋内に備え、該着脱式加熱板の動きを抑える加熱板ガタツキ抑制の当接突起を、前記着脱式加熱板と外蓋下面のいずれか一方に有し、前記ガタツキ抑制の突起は前記外蓋と前記着脱式加熱板とに常に当接させたことにより、蓋加熱板と製品自体の個有振動周波数をずらすことができ、音の発生を抑えることが可能となり、また、加熱板の振動を抑えることが可能になる。
【００１１】
【実施例】
（実施例１）
以下、本発明の第１の実施例を第１図〜第４図により説明する。図において、３１は上面が開口する略円筒形のボディである。このボディ３１の開口部には上枠３２が勘着している。前記ボディ３１内部には保護枠３３とコイルベース３４をとで鍋収納部を形成している。コイルベース３４は有底円筒状に形成され、コイルベース３４上端部には前記保護枠３３を介して上枠３２に固定されている。
【００１２】
３５は胴コイルで保護枠３３に固定されている。３６は上端開口部に外方に突出するフランジを形成した内鍋で、フランジを上枠３２の上面に載置され、本体内鍋３６収納部に着脱自在になっている。コイルベース３４には誘導コイル３７がインサートされ、この誘導コイル３７は最内周及び最外周の巻きを密にしている。
【００１３】
３８は誘導コイル３７に交番磁界を発生させるための電流を流す回路基板である。
【００１４】
４３は合成樹脂製の外蓋で、この外蓋４３は上枠３２の後部に一体形成されたヒンジ部材４４にピン４５を介して回動自在に支持され、蓋バネ４６に付勢せれている。
【００１５】
４７は、鍋パッキン５３付着脱式加熱板であり、外蓋４３下面を構成する外蓋カバー４８に取り付けられている。また外蓋カバー４８に加熱板４７を誘導加熱するための誘導コイル４９が設置されている。ここで、加熱板４７は電磁調理器の加熱原理と同様に誘導コイル４９に通電される電流の大きさと、誘導コイル４９の巻数等により加熱板４７の加熱量が決定されるが、炊飯器における加熱板４７の効果は、ご飯上部からオーブン効果を発揮させるために、可能な限り強い加熱パワーを必要とする。
【００１６】
従って加熱板４７には誘導コイル４９への通電される磁界作用により、本案の場合２５ｋＨｚの交番磁界により振動し、加熱されるものであるが、より大きな加熱量を得ようとすれば、加熱板４７の振動は大きくなる。又、誘導コイル４９と加熱板４７の距離に反比例して音は大きくなる。
【００１７】
このような状況になって、蓋の大きさを薄くし、コンパクト化を実現するには、当然蓋内の誘導コイル４９の位置を低くし、加熱板４７との距離を小さくする必要がある。このことは、加熱板４７の振動を大きくし、音の発生の要因となるためにコンパクト化阻害の大きな要因となっていた。
【００１８】
本案はかかる課題を解決すべく、加熱板４７の動きを抑え音の発生をなくすガタツキ抑制手段を有するものである。このガタツキ抑制手段は、加熱板４７を薄肉化して出てくる音の発生も解決できるものであり、従来できなかった板厚減により、省資源化構成をも可能とするメリットも出てくる。
【００１９】
加熱板４７と誘導コイル４９の距離は加熱効果にも影響し、当然ではあるが、距離が小さいほど効率よく加熱され、無駄な通電をもなくすことができる。このことは本案構成で誘導コイル４９への電流値を小さく設定できることになり外蓋４３内の温度を従来より、低くすることができると共に、制御基板部品の選択や、温度発熱を小さくできる等、省エネや、安価な部品選択などの効果も発揮できるものである。以下本案の加熱板４７のガタツキ抑制手段について詳しく述べる。
【００２０】
一案としては、図２，３に図示した如く、外蓋カバー４８下面の加熱板４７側に突起部４８ａを数箇所形成したものである。この突起４８ａは加熱板４７が蓋下面である外蓋カバー４８に取付けられた時に、確実に加熱板４７上面に当接するもので、加熱板４７の動きを抑えることができる。このことにより加熱板４７の振動を抑え、発生する音も抑えられる。
【００２１】
また図４のものは、外蓋カバー４８と加熱板４７の間に弾性力を有したゴム系の振動吸収材５０を介在させたものであるが、本構成においてはゴムの緩衝効果を、より効果的に利用できるもので前案よりも更に加熱板４７の動きを抑えられる。このゴム系の振動吸収材５０は外蓋カバー４８の下面もしくは、加熱板４７の上面いずれか一方に数箇所取付けられて形成したものである。
【００２２】
（実施例２）
第２の実施例を第５図に基づき説明する。構成の一部は第１の実施例と同様であるので説明を一部省略する。図において、６１は加熱板、６２は鍋パッキン、は６３外蓋カバーであり、着脱式加熱板６１の鍋パッキン６２を外方もしくは上方に延設し、そのリップ片を外蓋下面である外蓋カバー６３の下面もしくは、外側面にリング状に当接し得るようにしたものである。
【００２３】
かかる構成において鍋パッキン６２のリップ片の機能は加熱板６１の上下左右の動きを弾性力を利用して抑制しようとしているが、リング状であり抑制効果も高い。又、リング状に当接させることで、外蓋カバー６３下面と加熱板６１の間の空間は空気対流のない完全な保温断熱空間として構成したもので、加熱板６１の上面が外気と遮断されており容易に冷やされることがなく、又、その加熱板６１等で生じた熱量をこの空間域にとどめて、内鍋６６上部の保温力ＵＰに利用できるようにしたもので、無駄な加熱をなくし、省エネ断熱効果を発揮し得るものである。又、リップ片も鍋パッキン６２と一体化して形成したもので部品点数を増やすことなく安価に実施できる。
【００２４】
本発明において、加熱板着脱部位として外蓋下面の外蓋カバーで説明したが、外蓋カバーを外蓋として一体化された物でも同様の効果を得られることは当然である。
【００２５】
【発明の効果】
以上のように、本発明によれば、加熱板のガタツキを抑え、静かな炊飯器は勿論のこと、蓋構成のコンパクト化を実現できると共に、省エネ、省資源化をも実現できるものである。
【００２６】
特に、請求項１記載の発明は、内鍋を有する本体と、前記本体上部を覆う外蓋と、前記外蓋下面に、前記内鍋フランジ部に対向する鍋パッキンを一体化した着脱式加熱板を設置し、前記加熱板を誘導加熱する誘導コイルを前記外蓋内に備え、該着脱式加熱板の動きを抑える加熱板ガタツキ抑制の当接突起を、前記着脱式加熱板と外蓋下面のいずれか一方に有し、前記ガタツキ抑制の突起は前記外蓋と前記着脱式加熱板とに常に当接させたことにより、音の発生を抑えることが可能になり、また、加熱板の振動を抑えることが可能になる。
【図面の簡単な説明】
【図１】本発明の第１の実施例の炊飯器の要部断面図
【図２】同、炊飯器の要部拡大断面図
【図３】同、炊飯器の別の構成の要部概要図
【図４】同、炊飯器の要部拡大断面図
【図５】本発明の第２の実施例の炊飯器の要部拡大断面図
【図６】従来の炊飯器の要部断面図
【符号の説明】
外蓋        ４３、６４
内鍋        ３６、６６
鍋パッキン  ５３，６２
加熱板      ４７，６１
【図１】
0003569646.tif 000002
【図２】
0003569646.tif 000003
【図３】
0003569646.tif 000004
【図４】
0003569646.tif 000005
【図５】
0003569646.tif 000006
【図６】
0003569646.tif 000007